(57)【要約】【課題】原稿搬送部が原稿読取装置に対して水平に位置しない事態が生じたときにも、原稿すくい上げ板の先縁を当接面に対して水平に当接させて、原稿詰まりの発生を防止することのできる原稿読取装置を提供する。【解決手段】原稿すくい上げ板３１は下搬送ローラ１３の近傍に設けられている。原稿すくい上げ板３１は、前後一対の回動軸２５，２５が、原稿搬送部の支持部材である支持フレーム２６の一対の支持孔２６ａ，２６ｂのそれぞれに嵌まり込んで、上下回動可能に支持されている。原稿すくい上げ板３１の回動軸２５，２５は、装置前方では円形の支持孔２６ａで支持され、装置後方では上下方向により長く形成された長穴形状の支持孔２６ｂで支持されている。原稿すくい上げ板３１は、自重で回動して、先縁３１ａがその下方の当接面３２に水平に当接するように構成されている。【選択図】図３
2010056749.tif 000002
【特許請求の範囲】
【請求項１】
シート状原稿を搬送路において流し読みするために原稿を原稿読取窓へ搬送する原稿搬送部を備えた原稿読取装置であって、
前記原稿読取窓の下流側に設けられ、一対の回動軸を有し、これらの回動軸により上下回動可能に支持され、前記原稿読取窓を通過した原稿をすくい上げて前記搬送路の下流側へ案内する原稿すくい上げ板と、
この原稿すくい上げ板の前記回動軸がそれぞれ嵌まり込む一対の支持孔を有し、これらの支持孔に嵌まり込んだ前記回動軸で前記原稿すくい上げ板を支持する支持部材とを備えてなり、
前記支持孔の一方は、前記回動軸の上下方向の移動を規制する構成にされ、かつ、前記支持孔の他方は、前記回動軸の上下方向の移動を許容する構成にされている、ことを特徴とする原稿読取装置。
【請求項２】
前記回動軸は、それらの断面形状が円形であり、前記支持孔の一方は、その形状が前記回動軸の外周形状に沿って形成された円形であり、かつ、前記支持孔の他方は、その形状が上下方向により長く形成された長穴形状である、請求項１記載の原稿読取装置。
【請求項３】
原稿を反転するための反転搬送路をさらに備えている、請求項１記載の原稿読取装置。
【請求項４】
前記原稿すくい上げ板は、自重で回動してその先縁が下方の当接面に水平に当接されるように構成されている、請求項１記載の原稿読取装置。
【請求項５】
前記原稿すくい上げ板は、弾性部材の弾性力で回動してその先縁が下方の当接面に水平に当接されるように構成されている、請求項１記載の原稿読取装置。
【発明の詳細な説明】
【技術分野】
【０００１】
本発明は、原稿読取装置に関するものであり、さらに詳しくは、シート状原稿の画像を搬送路において流し読みするために原稿読取窓へ原稿を搬送する原稿搬送部が備わった原稿読取装置に関するものである。
【背景技術】
【０００２】
従来、原稿読取装置において、シート状原稿の画像を読み取るための方式としては、以下の２つの方式がよく知られている。
【０００３】
第１の方式は、原稿台の上に原稿を固定状態に載置しておき、その原稿を移動可能な光学キャリッジでスキャンすることによって原稿の画像を読み取る、原稿固定読み取り方式である。第２の方式は、原稿を所定速度で搬送させながら、固定した光学キャリッジによって原稿の画像を読み取る、原稿流し読み取り方式である。
【０００４】
原稿流し読み取り方式は、光学キャリッジが固定されていることから、原稿固定読み取り方式のように、原稿読み取りの都度、光学キャリッジを往復移動させる必要がない。従って、原稿流し読み取り方式は、装置構成が複雑にならず、また、高速処理が可能になるという点で、原稿固定読み取り方式に比較して有利である。
【０００５】
さらに、最近では、コピー機などにおけるディジタル処理技術の進歩により、同一の原稿から複数枚のコピーをする場合にも、読み取った原稿の画像を記憶媒体にディジタル情報として記憶しておくことで、読み取りは１回ですむようになっている。この点でも、原稿流し読み取り方式はいっそう有利である。
【０００６】
このような原稿流し読み取り方式に基づいた原稿読取装置（画像読取装置）としては、例えば特許文献１に記載されたものがある。
【０００７】
【特許文献１】特開２００３−６０８４１号公報
【発明の開示】
【発明が解決しようとする課題】
【０００８】
従来の原稿読取装置としては、図４に示されたように、原稿を原稿読取窓へ搬送する原稿搬送部を備えた原稿読取装置における原稿読取窓の下流側に上下回動可能な原稿すくい上げ板３１を備えたものがある。この原稿すくい上げ板３１は、前記原稿読取窓を通過した原稿をすくい上げて前記搬送路の下流側へ案内する。原稿すくい上げ板３１における前後一対の回動軸２５・２５はそれぞれ、前後一対の支持部材２６・２６の円形支持孔２６ａ・２６ａの中に嵌められている。このため、次のような問題が生じることがある。
【０００９】
すなわち、図４の上半部に示されたように、原稿読取装置の原稿搬送部が水平に位置するときには、原稿すくい上げ板３１の先縁３１ａは、その下方の当接面３２に対して水平に当接している。しかしながら、図４の下半部に示されたように、原稿搬送部が水平から傾いた状態で位置するときには、原稿すくい上げ板３１の先縁３１ａは、当接面３２に対して水平に当接することができず、浮き上がった先縁３１ａと当接面３２との間に隙間ができる。このため、原稿が搬送されてきたときに、浮き上がった原稿すくい上げ板３１の先縁３１ａに原稿が衝突して、原稿詰まりが生じる恐れがある。
【００１０】
本発明の課題は、原稿搬送部が原稿読取装置に対して水平に位置しない事態が生じたときにも、原稿すくい上げ板の先縁を当接面に対して水平に当接させて、原稿詰まりの発生を防止することのできる原稿読取装置を提供することにある。
【課題を解決するための手段】
【００１１】
本発明によれば、シート状原稿を搬送路において流し読みするために原稿を原稿読取窓へ搬送する原稿搬送部を備えた原稿読取装置であって、前記原稿読取窓の下流側に設けられ、一対の回動軸を有し、これらの回動軸により回動可能に支持され、前記原稿読取窓を通過した原稿をすくい上げて前記搬送路の下流側へ案内する原稿すくい上げ板と、この原稿すくい上げ板の前記回動軸がそれぞれ嵌まり込む一対の支持孔を有し、これらの支持孔に嵌まり込んだ前記回動軸で前記原稿すくい上げ板を支持する支持部材とを備えてなり、前記支持孔の一方は、前記回動軸の上下方向の移動を規制する構成にされ、かつ、前記支持孔の他方は、前記回動軸の上下方向の移動を許容する構成にされている、ことを特徴とする原稿読取装置が提供される。
【発明の効果】
【００１２】
本発明によれば、支持部材の支持孔の一方は、原稿すくい上げ板における回動軸の上下方向の移動を規制する構成にされ、かつ、前記支持孔の他方は、前記回動軸の上下方向の移動を許容する構成にされている。従って、原稿搬送部が原稿読取装置に対して水平に位置しない事態が生じたときにも、原稿すくい上げ板における前記他方の回動軸の上下方向の移動が許容されることで、この他方の回動軸が上方あるいは下方へ移動して、その回動軸の先端高さが前記一方の回動軸の先端高さに等しくなる。その結果、原稿すくい上げ板の先縁を当接面に対して水平に当接させて、原稿詰まりの発生を防止することができる。
【発明を実施するための最良の形態】
【００１３】
以下、本発明におけるいくつかの実施の形態について、図面を参照しながら説明する。なお、これらの実施の形態によって本発明が限定されるものではない。
【００１４】
［実施の形態１］
本発明の実施の形態１に係る原稿読取装置の構成が図１〜図３、図５および図６に示されている。すなわち、図１には、本発明の実施の形態１に係る原稿読取装置Ｄの構成説明図が示されている。図２には、この原稿読取装置Ｄの概略構成が示されている。原稿読取装置Ｄは、原稿搬送部Ａと画像読取部Ｂとからなり、原稿搬送部Ａは、画像読取部Ｂに支持軸Ｃで開閉可能に支持されている。図３、図５および図６には、原稿読取装置Ｄの要部構成が示されている。
【００１５】
図１および図２において、この原稿読取装置Ｄの原稿搬送部Ａにおける原稿トレイ１には、読み取るべき原稿が載置される。載置された原稿の有無は原稿有無検出センサ１６で検出され、載置された原稿のサイズは原稿サイズセンサ２０で検出される。
【００１６】
この原稿読取装置Ｄには、サバキローラ２と同軸に設けられたピックアーム２３が備わっている。ピックアーム２３の一方端部にはピックローラ１５が設けられている。そして、ピックローラ１５は、図示しないソレノイドにより駆動されて、原稿トレイ１における原稿の最上面に接触／離間される。
【００１７】
ピックアーム２３の他方端部（ピックローラ１５が設けられていない方の端部）は、用紙搬送路に当接してピックローラ１５が上方向に移動したときのピックアーム２３の角度を規制する。原稿はピックアーム２３の他方端部と搬送路との間を通過するので、ピックアーム２３の他方端部には、原稿が円滑に進行するようにピックアームコロ２３ａが設けられている。
【００１８】
ピックローラ１５は原稿トレイ１における最上部の原稿を繰り出す。サバキローラ２は、分離パッド３と相まって、原稿トレイ１から繰り出された原稿を分離して第１搬送路４へ送り出す。搬送センサ５は原稿の端部を検出する。
【００１９】
一対の上搬送ローラ２２は原稿を一対のレジストローラ６へ搬送する。レジストローラ６は原稿の先端を突き合わせて整合する。読取ガイド８に沿って搬送された原稿には、光源ランプ９から出射された光が照射される。この光は、原稿で反射されて読取ガラス７を透過し、折り返しミラー１０，１０，１０を経由してレンズ１１で集光され、ＣＣＤ１２で画像データに変換される。原稿読取窓としての読取ガラス７を通過した原稿は一対の下搬送ローラ１３によって一対の反転ローラ１４へ搬送される。
【００２０】
切換ゲート１８は通常、先端が自重で反時計回り方向に回転して、図１における実線の位置にある。読み取りが終わった原稿は排紙トレイ１７へ排紙される。排紙される原稿の端部は排紙センサ１９で検出される。
【００２１】
原稿両面読み取りの場合には、反転ローラ１４が反転することで、原稿は、切換ゲート１８により、搬送路が反転搬送路としての第２搬送路２１へ切り換えられて、第２搬送路２１へ搬送される。そして、原稿は、再び第１搬送路４で読取ガラス７へ向けて搬送される。
【００２２】
原稿ストッパ２４は、図示しない連動機構によりピックアーム２３と連動して、ピックアーム２３が反時計回り方向に回転した時（原稿繰出し時）に下方向へ移動する。そして、原稿を装置内部に送り出せるようにする。この原稿ストッパ２４は、ピックアーム２３が時計回り方向に回転した時（停止時）に上方向へ移動する。そして、原稿の先端に当接して、原稿を装置内部に送り出せないようにする。
【００２３】
図１、図３、図５および図６に示されたように、この原稿読取装置Ｄには、前後一対の回動軸２５，２５を有し、これらの回動軸２５，２５により上下回動可能に支持された原稿すくい上げ板３１と、この原稿すくい上げ板３１の回動軸２５，２５がそれぞれ嵌まり込む一対の支持孔２６ａ，２６ｂを有する一対の支持部材である支持フレーム２６，２６とが備わっている。
【００２４】
すなわち、原稿すくい上げ板３１は下搬送ローラ１３の近傍に設けられている。原稿すくい上げ板３１は、前後一対の回動軸２５，２５が、原稿搬送部の支持フレーム２６，２６の一対の支持孔２６ａ，２６ｂのそれぞれに嵌まり込んで、回動可能に支持されている。原稿すくい上げ板３１の回動軸２５，２５は、装置前方では円形の支持孔２６ａで支持され、装置後方では上下方向により長く形成された長穴形状の支持孔２６ｂで支持されている。
【００２５】
原稿すくい上げ板３１は、読取りガラス７を通過した原稿をすくい上げて第１搬送路４の下流側へ案内する。また、原稿すくい上げ板３１は、自重で回動して、先縁３１ａがその下方の当接面３２に当接するように構成されている。
【００２６】
図５には、原稿すくい上げ板３１の当接面３２に対する当接状態が示されている。すなわち、図５の上半部には、画像読取部Ｂに対して原稿搬送部Ａが水平に位置したとき（図２参照）の原稿すくい上げ板３１の状態が示されている。このとき、原稿すくい上げ板３１の先縁３１ａは、当接面３２に水平に当接している。
【００２７】
一方、図５の下半部には、原稿搬送部Ａが完全に閉じ切られておらず、前方側に浮きが生じ、傾斜して画像読取部Ｂに位置したとき（図２参照）の原稿すくい上げ板３１の状態が示されている。このときも、原稿すくい上げ板３１の先縁３１ａは、当接面３２に水平に当接している。
【００２８】
その理由は、原稿すくい上げ板３１の一方の回動軸２５が支持フレーム２６の円形の支持孔２６ａで支持され、他方の回動軸２５が支持フレーム２６の長穴形状の支持孔２６ｂで支持されているので、長穴形状の支持孔２６ｂの側におけるすくい上げ板３１の回動軸２５が上方へ移動して、その回動軸２５の先端高さが円形の支持孔２６ａで支持されている回動軸２５の先端高さに等しくなるからである。その結果、原稿詰まりの発生を防止することができる。
【００２９】
図６には、原稿搬送部Ａが図２とは逆方向に傾斜して画像読取部Ｂに位置したときの原稿すくい上げ板３１の状態が示されている。この場合でも、すくい上げ板３１の先縁３１ａは当接面３２に水平に当接している。その理由は、長穴形状の支持孔２６ｂの側におけるすくい上げ板３１の回動軸２５が下方へ移動して、その回動軸２５の先端高さが円形の支持孔２６ａで支持されている回動軸２５の先端高さに等しくなるからである。その結果、原稿詰まりの発生を防止することができる。
【００３０】
［実施の形態２］
本発明の実施の形態２に係る原稿読取装置の要部構成が図７に示されている。
【００３１】
すなわち、この原稿読取装置における原稿すくい上げ板３１は、前後一対の回動軸２５，２５のそれぞれに装着された弾性部材としてのねじりコイルばね３５の弾性力で上下回動可能に下方へ付勢されている。すなわち、装着されたねじりコイルばね３５の一方端部がすくい上げ板３１に固定されており、他方端部が装置壁面３６に当接されている。
【００３２】
そして、原稿すくい上げ板３１の先縁３１ａが当接面３２に水平に当接するようにされている。
【００３３】
実施の形態２に係る原稿読取装置の他の部分における構成は、実施の形態１に係る原稿読取装置のそれらと実質的に同一である。
【００３４】
［実施の形態３］
本発明の実施の形態３に係る原稿読取装置の要部構成が図８に示されている。
【００３５】
すなわち、この原稿読取装置における原稿すくい上げ板３１の前後一対の回動軸２５，２５をそれぞれ支持する支持フレーム２６，２６の前後一対の支持孔２６ａ，２６ｂのうち一方（装置前方）の支持孔２６ａが、丸穴でなく、上下方向に移動できないような、水平方向により長い長穴形状とされており、他方（装置後方）の支持孔２６ｂが、上下方向により長い長穴形状とされている。
【００３６】
そして、原稿すくい上げ板３１の先縁３１ａが当接面３２に水平に当接するようにされている。
【００３７】
実施の形態３に係る原稿読取装置の他の部分における構成は、実施の形態１に係る原稿読取装置のそれらと実質的に同一である。
【００３８】
なお、実施の形態３に係る原稿読取装置における支持孔２６ａおよび支持孔２６ｂの前後は逆にして実施してもよい。
【図面の簡単な説明】
【００３９】
【図１】図１は本発明の実施の形態１に係る原稿読取装置Ｄを正面から見た構成説明図である。
【図２】図２は本発明の実施の形態１に係る原稿読取装置Ｄの概略構成を示す図である。
【図３】図３は本発明の実施の形態１に係る原稿読取装置Ｄの要部構成を示す図である。
【図４】図４は従来の原稿読取装置の要部構成を示す図である。
【図５】図５は本発明の実施の形態１に係る原稿読取装置Ｄの要部構成を示す図である。
【図６】図６は本発明の実施の形態１に係る原稿読取装置Ｄの要部構成を示す図である。
【図７】図７は本発明の実施の形態２に係る原稿読取装置の要部構成を示す図である。
【図８】図８は本発明の実施の形態３に係る原稿読取装置の要部構成を示す図である。
【符号の説明】
【００４０】
Ｄ……原稿読取装置
Ａ……原稿搬送部
Ｂ……画像読取部
１……原稿トレイ
４……第１搬送路（搬送路）
７……読取ガラス（原稿読取窓）
２１……第２搬送路（反転搬送路）
２５……回動軸
２６……支持フレーム（支持部材）
２６ａ…支持孔
２６ｂ…支持孔
３１……原稿すくい上げ板
３１ａ…先縁
３５……ねじりコイルばね（弾性部材）
３６……壁面
【図１】
2010056749.tif 000003
【図２】
2010056749.tif 000004
【図３】
2010056749.tif 000005
【図４】
2010056749.tif 000006
【図５】
2010056749.tif 000007
【図６】
2010056749.tif 000008
【図７】
2010056749.tif 000009
【図８】
2010056749.tif 000010